(57)【要約】      （修正有）【課題】机の上、棚の上、携帯時のカバンの中などでかさばらず丈夫で、筆記具が増えて棒状具収納体を買い足した際に元々あるものと気軽にしっかりと連結出来、外して使いたい場合に素早く連結を解くことが出来ることが求められている。【解決手段】棒状具収納体（１０）の貫通口（６）に棒状具収納体（２０）の取っ手（２５）を挿入してから穴（２４）に棒状具を挿入して棒状具収納体（１０）に棒状具収納体（２０）を係止する構造とする。【選択図】図２
2018199265.tif 000002
【特許請求の範囲】
【請求項１】
一端部に内部への挿入口を備える筒状であり筒状の外周から内部への貫通口を備える第１筆記具収納体と、
一端部に内部への挿入口を備える筒状であり筒状の外周に、一端部の挿入口から他端部に向かう挿入方向におよそ沿う穴を備える取っ手を備える第２筆記具収納体と、
を具備し、
前記貫通口に前記取っ手を挿入して前記第１及び第２筆記具収納体が並ぶ状態で前記第１筆記具収納体の挿入口を通って前記穴に棒状の筆記具を挿入することで、前記第２筆記具収納体は前記第１筆記具収納体に係止されることを特徴とする、
筆記具収納具。
【請求項２】
前記第１筆記具収納体は筒状の外周に前記貫通口と同様な貫通口、
前記取っ手と同様な取っ手、
の少なくとも一方を備える、
請求項１に記載の筆記具収納具。
【請求項３】
前記第１筆記具収納体は筒状の外周に前記取っ手と同様な取っ手を備え、
前記第２筆記具収納体は筒状の外周に前記貫通口と同様な貫通口を備える、
請求項１に記載の筆記具収納具。
【発明の詳細な説明】
【技術分野】
【０００１】
本発明は、筆記具を収納する収納具に関する。
【背景技術】
【０００２】
筆記具収納具においては、特許文献１の実施例のように棒状の筆記具を収納する複数の筒状部材の蓋にL字状の係合形状を備え、隣り合う筒状部材の蓋の係合形状が互いに係合することで並列に連結出来るアイデアが知られている。
【０００３】
また、筆記具収納具においては、特許文献２の実施例のように棒状の筆記具の一部又は全部を収納可能な隣り合う筒状の筆記具収納体に８の字状に線状輪が巻き回されることで、隣り合う筆記具収納体が相対回転自在に連結されるアイデアが知られている。
【先行技術文献】
【特許文献】
【０００４】
【特許文献１】特開２００２−０８５１２９号公報
【特許文献２】特許第４０３１５２１号公報
【発明の概要】
【発明が解決しようとする課題】
【０００５】
筆記具収納具においては、机の上、棚の上、携帯時のカバンの中などでかさばらず丈夫で、筆記具が増えて筆記具収納体を買い足した際に元々あるものと気軽にしっかりと連結出来、外して使いたい場合に素早く連結を解くことが出来ることが求められている。
しかし、特許文献１のような連結構造では係合形状を小さくしないと邪魔になり、小さいと破損しやすく且つ係合を保つ力が不足して連結が不意に外れることが増えてしまう。
また、特許文献２のような連結構造では巻き回される線状輪が不意に外れないようにすると、筆記具収納体を足して連結したり外したりする作業が大変になる。
また、部材を新たに追加して連結を係止するような構造だとコストが上がることや、連結を解いた状態で係止に使う部材を紛失してしまうことも問題となる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る筆記具収納具は、例えば図１及び２の組み、図４及び５の組み、図７及び８の組み、のいずれかの組みのように、
一端部に内部１への挿入口２を備える筒状であり筒状の外周３から内部１への貫通口６を備える筆記具収納体１０と、
一端部に内部２１への挿入口２２を備える筒状であり筒状の外周２３に、一端部の挿入口２２から他端部に向かう挿入方向におよそ沿う穴２４を備える取っ手２５を備える筆記具収納体２０と、
を具備し、
貫通口６に取っ手２５を挿入して筆記具収納体１０及び２０が並ぶ状態で筆記具収納体１０の挿入口２を通って穴２４に棒状の筆記具を挿入することで、筆記具収納体２０は筆記具収納体１０に係止されることを特徴とする、
筆記具収納具である。
【０００８】
発明２に係る筆記具収納具は、発明１の筆記具収納具において、例えば図１及び２の組み、図４及び５の組み、図７及び８の組み、のいずれかの組みのように、
筆記具収納体１０は筒状の外周３に貫通口６と同様な貫通口１６、
取っ手２５と同様な取っ手５、
の少なくとも一方を備える、
筆記具収納具である。
【０００９】
発明３に係る筆記具収納具は、発明１の筆記具収納具において、例えば図１及び２の組み、図４及び５の組み、図７及び８の組み、のいずれかの組みのように、
筆記具収納体１０は筒状の外周３に取っ手２５と同様な取っ手５を備え、
筆記具収納体２０は筒状の外周２３に貫通口６と同様な貫通口２６を備える、
筆記具収納具である。
【発明の効果】
【００１０】
以上のように本発明では、筆記具収納体２０単体状態で取っ手２５を指先で摘むことで机の上などで筆記具収納体２０を牽引することが容易となり、取っ手２５の穴２４も筆記具を収納出来るので取っ手２５が有効利用出来、筆記具収納体１０及び２０の連結状態では丈夫な取っ手２５の穴２４に棒状の筆記具を挿入することで互いに係止されるので、係止専用の部材を用意しなくても丈夫な連結が出来て連結を解くのも極めて簡単、というような設計が容易となる。
【００１１】
また発明２では、本発明の効果に加えて、筆記具収納体１０又は２０と同様な筆記具収納体３０を筆記具収納体１０に連結し係止出来るような設計が容易となる。
【００１２】
また発明３では、本発明の効果に加えて、筆記具収納体１０と同様な筆記具収納体２０及び３０を並べて連結し隣り合うものを互いに係止出来るような設計が容易となり、製造者は製造コスト削減が容易となり、販売者は筆記具収納体の単品販売が容易となり、購入者は購入の際に迷いが軽減される。
【図面の簡単な説明】
【００１３】
【図１】第１実施形態の筆記具収納体１０を第三角法で表した図
【図２】第１実施形態の筆記具収納体３個の連結状態を第三角法で表した図
【図３】筆記具収納体１０の貫通口６を広げたものを第三角法で表した図
【図４】第２実施形態の筆記具収納体１０を第三角法で表した図
【図５】第２実施形態の筆記具収納体４個の連結状態を第三角法で表した図
【図６】第３実施形態の筆記具収納体１０を第三角法で表した図
【図７】第４実施形態の筆記具収納体１０を第三角法で表した図
【図８】第４実施形態の筆記具収納体２個の連結状態を第三角法で表した図
【図９】第５実施形態の筆記具収納体１０を第三角法で表した図
【発明を実施するための形態】
【００１４】
本発明の第１実施形態を図１、２及び３に基づいて説明する。
【００１５】
筆記具収納体１０は樹脂一体成形されたおよそ円筒状で、円筒軸方向の一端部は開口端で内部１への挿入口２があり、他端部は閉口端で底７があり、中間部の外周３から内部１へ貫通する四角い貫通口６があり、貫通口６から円筒軸を中心に１８０度回った辺りの一端部から他端部にかけて凹形状の係合形状８が外周３に形成されており、その凹形状の中間部に帯状の取っ手５が設けられ、取っ手５の内側は円筒軸方向に貫通した穴４となっている。また、貫通口６から円筒軸を中心に９０度及びマイナス９０度回った辺りの外周３にもそれぞれ貫通口６と同様な貫通口を設ける、あるいは図３のように貫通口６の両隣の貫通口とつなげるような形に貫通口６を広げておけば、シンプルな構成や外観を維持したまま筆記具収納体の列にバリエーションを与えることが出来るだろう。また図３のような広い貫通口６によって、取っ手２５が筆記具収納体１０の円筒軸を中心に揺動可能な係止構造に出来るだろう。すなわち筆記具収納体１０及び２０を連結し棒状の筆記具によって係止した状態で、筆記具収納体１０の円筒軸を中心に係合形状２８は外周３上を滑るように１８０度程回転出来るようになる。
図２のように筆記具収納体１０と同一形状の筆記具収納体２０及び３０を用意し、水平面にそれぞれの底７、２７及び３７を接地した状態で一列に筆記具収納体２０、１０、３０という順に並べ、貫通口６に取っ手２５を挿入し係合形状２８に外周３を嵌合させてから棒状の筆記具を穴２４に挿入することで穴２４の内周と内部１の内周の間に棒状の筆記具が位置する状態になるので、棒状の筆記具が細くてもガタのある状態で筆記具収納体２０は１０に係止される。ここで棒状の筆記具の代わりにハサミやドライバーの先端部、箸、歯ブラシやスプーンの柄、等を穴２４に挿入しても係止出来る。また筆記具収納体３０及び１０の係止方法も同様なので記載を省略する。
また、凹形状の係合形状２８と凸形状の外周３の嵌合よりもガタつきは増えてしまうが、二面取りした円筒状のように、平面状の係合形状２８と平面状の外周３を形成して両平面が係合するような構成でも良いだろう。また、このような平面状の係合形状２８や凹形状の係合形状２８のような外周２３全体に比べて凹んだ辺りに取っ手２５が配されることで、取っ手２５や穴２４のサイズを確保したまま外周２３全体に対する取っ手２５の張り出し量を抑えている。
また、内部１を円筒径方向に分割するような仕切り板を設けて、内部１に棒状の一部又は全部が収納される複数の筆記具を仕切っても良いだろう。
【００１６】
本発明の第２実施形態は第１実施形態と共通する部分が多いので、主に違いについて図４及び５に基づいて説明する。
【００１７】
第１実施形態の係合形状８や取っ手５と同一形状が円筒軸を中心に９０度回った辺りにも形成されており、更に１８０度回った辺りに貫通口６、更に９０度戻った辺りに貫通口６と同一形状の貫通口１６が形成されている。これらの構成により、図５のように同一形状の筆記具収納体２０、１０、３０、４０、２０という順に環状に並べて棒状の筆記具でそれぞれ係止することが可能である。
また、新たな貫通口１６又は取っ手１５を利用すれば図２と同様に一列に並べて係止することも可能である。
また、貫通口６及び１６の間の柱形状９を取り去ってやれば、貫通口６及び１６の間を取っ手５と同一形状の取っ手が筆記具収納体１０の円筒軸を中心に揺動可能な係止構造に出来るだろう。すなわち筆記具収納体１０及び２０のみを連結し棒状の筆記具によって係止した状態で、筆記具収納体１０の円筒軸を中心に係合形状２８は外周３上を滑るように９０度回転出来るようになる。
【００１８】
本発明の第３実施形態は第１実施形態と共通する部分が多いので、主に違いについて図６に基づいて説明する。
【００１９】
帯状の取っ手５は第１実施形態よりも小型化されており、帯状の中間部には割り１１が入っている。この割り１１の効果によって取っ手５を弾性変形させて、取っ手５と取っ手５が挿入される貫通口との間、あるいは穴４と穴４に挿入される棒状の筆記具との間のガタつきを積極的に吸収する。
【００２０】
本発明の第４実施形態は第１実施形態と共通する部分が多いので、主に違いについて図７及び８に基づいて説明する。
【００２１】
筆記具収納体１０は樹脂一体成形されたおよそ四角筒状で、外周３の４つ角の内の１つから内部１へ貫通する四角い貫通口６があり、貫通口６の対角辺りの外周３に凹形状の係合形状８が形成されており、その凹形状の中間部に帯状の取っ手５が設けられている。
【００２２】
本発明の第５実施形態は、第１実施形態に対する第２実施形態の変更を、第４実施形態に対して適用したものであるので詳しい記載は省略する。
【００２３】
第１から第５実施形態の筆記具収納具の連結係止構造を、四角形以外の多角形、楕円形、星形、その他様々な外周形状の筒に適用出来るだろう。
【符号の説明】
【００２４】
１,２１.                            内部
２,２２,３２,４２.              挿入口
３,２３,３３,４３.              外周
４,１４,２４,３４,４４.         穴
５,１５,２５,３５.              取っ手
６,１６,２６,３６.              貫通口
７,２７,３７.                       底
８,１８,２８,３８,４８.         係合形状
９.                                     柱形状
１０,２０,３０,４０.              筆記具収納体
１１.                                 割り
【図１】
2018199265.tif 000003
【図２】
2018199265.tif 000004
【図３】
2018199265.tif 000005
【図４】
2018199265.tif 000006
【図５】
2018199265.tif 000007
【図６】
2018199265.tif 000008
【図７】
2018199265.tif 000009
【図８】
2018199265.tif 000010
【図９】
2018199265.tif 000011
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
一端部に内部への挿入口を備える筒状であり筒状の外周から内部への貫通口を備える第１棒状具収納体と、
一端部に内部への挿入口を備える筒状であり筒状の外周に、一端部の挿入口から他端部に向かう挿入方向におよそ沿う穴を備える取っ手を備える第２棒状具収納体と、
を具備し、
前記貫通口に前記取っ手を挿入して前記第１及び第２棒状具収納体が並ぶ状態で前記第１棒状具収納体の挿入口を通って前記穴に棒状具を挿入することで、前記第２棒状具収納体は前記第１棒状具収納体に係止されることを特徴とする、
棒状具収納具。
【請求項２】
前記第１棒状具収納体は筒状の外周に前記貫通口と同様な貫通口、
前記取っ手と同様な取っ手、
の少なくとも一方を備える、
請求項１に記載の棒状具収納具。
【請求項３】
前記第１棒状具収納体は筒状の外周に前記取っ手と同様な取っ手を備え、
前記第２棒状具収納体は筒状の外周に前記貫通口と同様な貫通口を備える、
請求項１に記載の棒状具収納具。
【手続補正２】
【補正対象書類名】明細書
【補正対象項目名】全文
【補正方法】変更
【補正の内容】
【発明の詳細な説明】
【技術分野】
【０００１】
本発明は、棒状具を収納する収納具に関する。
【背景技術】
【０００２】
棒状具収納具においては、特許文献１の実施例のように棒状の筆記具を収納する複数の筒状部材の蓋にL字状の係合形状を備え、隣り合う筒状部材の蓋の係合形状が互いに係合することで並列に連結出来るアイデアが知られている。
【０００３】
また、棒状具収納具においては、特許文献２の実施例のように棒状の筆記具の一部又は全部を収納可能な隣り合う筒状の棒状具収納体に８の字状に線状輪が巻き回されることで、隣り合う棒状具収納体が相対回転自在に連結されるアイデアが知られている。
【先行技術文献】
【特許文献】
【０００４】
【特許文献１】特開２００２−０８５１２９号公報
【特許文献２】特許第４０３１５２１号公報
【発明の概要】
【発明が解決しようとする課題】
【０００５】
棒状具収納具においては、机の上、棚の上、携帯時のカバンの中などでかさばらず丈夫で、棒状具が増えて棒状具収納体を買い足した際に元々あるものと気軽にしっかりと連結出来、外して使いたい場合に素早く連結を解くことが出来ることが求められている。
しかし、特許文献１のような連結構造では係合形状を小さくしないと邪魔になり、小さいと破損しやすく且つ係合を保つ力が不足して連結が不意に外れることが増えてしまう。
また、特許文献２のような連結構造では巻き回される線状輪が不意に外れないようにすると、棒状具収納体を足して連結したり外したりする作業が大変になる。
また、部材を新たに追加して連結を係止するような構造だとコストが上がることや、連結を解いた状態で係止に使う部材を紛失してしまうことも問題となる。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る棒状具収納具は、例えば図１及び２の組み、図４及び５の組み、図７及び８の組み、のいずれかの組みのように、
一端部に内部１への挿入口２を備える筒状であり筒状の外周３から内部１への貫通口６を備える棒状具収納体１０と、
一端部に内部２１への挿入口２２を備える筒状であり筒状の外周２３に、一端部の挿入口２２から他端部に向かう挿入方向におよそ沿う穴２４を備える取っ手２５を備える棒状具収納体２０と、
を具備し、
貫通口６に取っ手２５を挿入して棒状具収納体１０及び２０が並ぶ状態で棒状具収納体１０の挿入口２を通って穴２４に棒状具を挿入することで、棒状具収納体２０は棒状具収納体１０に係止されることを特徴とする、
棒状具収納具である。
【０００８】
発明２に係る棒状具収納具は、発明１の棒状具収納具において、例えば図１及び２の組み、図４及び５の組み、図７及び８の組み、のいずれかの組みのように、
棒状具収納体１０は筒状の外周３に貫通口６と同様な貫通口１６、
取っ手２５と同様な取っ手５、
の少なくとも一方を備える、
棒状具収納具である。
【０００９】
発明３に係る棒状具収納具は、発明１の棒状具収納具において、例えば図１及び２の組み、図４及び５の組み、図７及び８の組み、のいずれかの組みのように、
棒状具収納体１０は筒状の外周３に取っ手２５と同様な取っ手５を備え、
棒状具収納体２０は筒状の外周２３に貫通口６と同様な貫通口２６を備える、
棒状具収納具である。
【発明の効果】
【００１０】
以上のように本発明では、棒状具収納体２０単体状態で取っ手２５を指先で摘むことで机の上などで棒状具収納体２０を牽引することが容易となり、取っ手２５の穴２４も棒状具を収納出来るので取っ手２５が有効利用出来、棒状具収納体１０及び２０の連結状態では丈夫な取っ手２５の穴２４に棒状具を挿入することで互いに係止されるので、係止専用の部材を用意しなくても丈夫な連結が出来て連結を解くのも極めて簡単、というような設計が容易となる。
【００１１】
また発明２では、本発明の効果に加えて、棒状具収納体１０又は２０と同様な棒状具収納体３０を棒状具収納体１０に連結し係止出来るような設計が容易となる。
【００１２】
また発明３では、本発明の効果に加えて、棒状具収納体１０と同様な棒状具収納体２０及び３０を並べて連結し隣り合うものを互いに係止出来るような設計が容易となり、製造者は製造コスト削減が容易となり、販売者は棒状具収納体の単品販売が容易となり、購入者は購入の際に迷いが軽減される。
【図面の簡単な説明】
【００１３】
【図１】第１実施形態の棒状具収納体１０を第三角法で表した図
【図２】第１実施形態の棒状具収納体３個の連結状態を第三角法で表した図
【図３】棒状具収納体１０の貫通口６を広げたものを第三角法で表した図
【図４】第２実施形態の棒状具収納体１０を第三角法で表した図
【図５】第２実施形態の棒状具収納体４個の連結状態を第三角法で表した図
【図６】第３実施形態の棒状具収納体１０を第三角法で表した図
【図７】第４実施形態の棒状具収納体１０を第三角法で表した図
【図８】第４実施形態の棒状具収納体２個の連結状態を第三角法で表した図
【図９】第５実施形態の棒状具収納体１０を第三角法で表した図
【発明を実施するための形態】
【００１４】
本発明の第１実施形態を図１、２及び３に基づいて説明する。
【００１５】
棒状具収納体１０は樹脂一体成形されたおよそ円筒状で、円筒軸方向の一端部は開口端で内部１への挿入口２があり、他端部は閉口端で底７があり、中間部の外周３から内部１へ貫通する四角い貫通口６があり、貫通口６から円筒軸を中心に１８０度回った辺りの一端部から他端部にかけて凹形状の係合形状８が外周３に形成されており、その凹形状の中間部に帯状の取っ手５が設けられ、取っ手５の内側は円筒軸方向に貫通した穴４となっている。また、貫通口６から円筒軸を中心に９０度及びマイナス９０度回った辺りの外周３にもそれぞれ貫通口６と同様な貫通口を設ける、あるいは図３のように貫通口６の両隣の貫通口とつなげるような形に貫通口６を広げておけば、シンプルな構成や外観を維持したまま棒状具収納体の列にバリエーションを与えることが出来るだろう。また図３のような広い貫通口６によって、取っ手２５が棒状具収納体１０の円筒軸を中心に揺動可能な係止構造に出来るだろう。すなわち棒状具収納体１０及び２０を連結し棒状の筆記具によって係止した状態で、棒状具収納体１０の円筒軸を中心に係合形状２８は外周３上を滑るように１８０度程回転出来るようになる。
図２のように棒状具収納体１０と同一形状の棒状具収納体２０及び３０を用意し、水平面にそれぞれの底７、２７及び３７を接地した状態で一列に棒状具収納体２０、１０、３０という順に並べ、貫通口６に取っ手２５を挿入し係合形状２８に外周３を嵌合させてから棒状の筆記具を穴２４に挿入することで穴２４の内周と内部１の内周の間に棒状の筆記具が位置する状態になるので、棒状の筆記具が細くてもガタのある状態で棒状具収納体２０は１０に係止される。ここで棒状の筆記具の代わりにハサミやドライバーの先端部、箸、歯ブラシやスプーンの柄、等を穴２４に挿入しても係止出来る。また棒状具収納体３０及び１０の係止方法も同様なので記載を省略する。
また、凹形状の係合形状２８と凸形状の外周３の嵌合よりもガタつきは増えてしまうが、二面取りした円筒状のように、平面状の係合形状２８と平面状の外周３を形成して両平面が係合するような構成でも良いだろう。また、このような平面状の係合形状２８や凹形状の係合形状２８のような外周２３全体に比べて凹んだ辺りに取っ手２５が配されることで、取っ手２５や穴２４のサイズを確保したまま外周２３全体に対する取っ手２５の張り出し量を抑えている。
また、内部１を円筒径方向に分割するような仕切り板を設けて、内部１に棒状の一部又は全部が収納される複数の筆記具を仕切っても良いだろう。
【００１６】
本発明の第２実施形態は第１実施形態と共通する部分が多いので、主に違いについて図４及び５に基づいて説明する。
【００１７】
第１実施形態の係合形状８や取っ手５と同一形状が円筒軸を中心に９０度回った辺りにも形成されており、更に１８０度回った辺りに貫通口６、更に９０度戻った辺りに貫通口６と同一形状の貫通口１６が形成されている。これらの構成により、図５のように同一形状の棒状具収納体２０、１０、３０、４０、２０という順に環状に並べて棒状の筆記具でそれぞれ係止することが可能である。
また、新たな貫通口１６又は取っ手１５を利用すれば図２と同様に一列に並べて係止することも可能である。
また、貫通口６及び１６の間の柱形状９を取り去ってやれば、貫通口６及び１６の間を取っ手５と同一形状の取っ手が棒状具収納体１０の円筒軸を中心に揺動可能な係止構造に出来るだろう。すなわち棒状具収納体１０及び２０のみを連結し棒状の筆記具によって係止した状態で、棒状具収納体１０の円筒軸を中心に係合形状２８は外周３上を滑るように９０度回転出来るようになる。
【００１８】
本発明の第３実施形態は第１実施形態と共通する部分が多いので、主に違いについて図６に基づいて説明する。
【００１９】
帯状の取っ手５は第１実施形態よりも小型化されており、帯状の中間部には割り１１が入っている。この割り１１の効果によって取っ手５を弾性変形させて、取っ手５と取っ手５が挿入される貫通口との間、あるいは穴４と穴４に挿入される棒状の筆記具との間のガタつきを積極的に吸収する。
【００２０】
本発明の第４実施形態は第１実施形態と共通する部分が多いので、主に違いについて図７及び８に基づいて説明する。
【００２１】
棒状具収納体１０は樹脂一体成形されたおよそ四角筒状で、外周３の４つ角の内の１つから内部１へ貫通する四角い貫通口６があり、貫通口６の対角辺りの外周３に凹形状の係合形状８が形成されており、その凹形状の中間部に帯状の取っ手５が設けられている。
【００２２】
本発明の第５実施形態は、第１実施形態に対する第２実施形態の変更を、第４実施形態に対して適用したものであるので詳しい記載は省略する。
【００２３】
第１から第５実施形態の棒状具収納具の連結係止構造を、四角形以外の多角形、楕円形、星形、その他様々な外周形状の筒に適用出来るだろう。
【符号の説明】
【００２４】
１,２１.                             内部
２,２２,３２,４２.           挿入口
３,２３,３３,４３.           外周
４,１４,２４,３４,４４.  穴
５,１５,２５,３５.           取っ手
６,１６,２６,３６.           貫通口
７,２７,３７.                    底
８,１８,２８,３８,４８.  係合形状
９.                                      柱形状
１０,２０,３０,４０.       棒状具収納体
１１.                                  割り